(57)【特許請求の範囲】
【請求項１】
複数の駆動プーリを列状に配設してディスク状記録媒体の一方の周縁部に駆動力を付与する第１のガイド体と、前記ディスク状記録媒体の他方の周縁部を案内するガイド溝を有し、前記第１のガイド体に対向して配置された第２のガイド体と、これら第１および第２のガイド体を近接離反方向に移動させて両ガイド体の間隔を変更するガイド体間隔変更手段とを備え、挿入排出口から挿入された前記ディスク状記録媒体を前記複数の駆動プーリと前記ガイド溝との間に挟持し、前記駆動力により少なくともプレイ位置へと搬送するディスク搬送機構において、
前記複数の駆動プーリのうち、前記プレイ位置にある前記ディスク状記録媒体に最も接近する特定の駆動プーリを先端部に軸支した回動レバーと、前記回動レバーを弾性付勢して前記特定の駆動プーリを前記第２のガイド体側へ突出させる付勢手段と、前記第１のガイド体を前記第２のガイド体から所定量離反させる動作に連動して、前記回動レバーを前記弾性付勢力に抗して回転させるレバー駆動手段とを備え、
前記ガイド体間隔変更手段により前記第１のガイド体を前記第２のガイド体から離反させ前記プレイ位置に配置された前記ディスク状記録媒体から前記第１のガイド体を退避させる過程で、前記レバー駆動手段に駆動された前記回動レバーの回転に伴い、前記特定の駆動プーリが他の駆動プーリに対して反第２のガイド体側へ突出するように構成したことを特徴とするディスク搬送機構。
【請求項２】
請求項１の記載において、前記ディスク状記録媒体がプレイ位置でダンパ機構に支持されるディスク再生および／または記録装置に組み込まれ、少なくともプレイ位置と挿入排出口との間で前記ディスク状記録媒体を往復移動させることを特徴とするディスク搬送機構。
【請求項３】
請求項１または２の記載において、前記特定の駆動プーリがディスク搬送方向の最奥に位置する駆動プーリであることを特徴とするディスク搬送機構。
【発明の詳細な説明】
【０００１】
【発明の属する技術分野】
本発明は、ＣＤ等のディスク状記録媒体（以下、ディスクと略称）を挟持して挿入排出口とプレイ位置との間、あるいはプレイ位置とディスク収納領域との間で該ディスクを搬送するディスク搬送装置に関する。
【０００２】
【従来の技術】
ディスクを装填して使用されるプレーヤのうち、車載用のＣＤプレーヤ等においては、その前面パネルに設けた挿入排出口から装置内部へディスクを直接挿入するスロットイン方式が多用されており、挿入されたディスクはプレーヤに内蔵されているディスク搬送機構によってプレイ位置まで自動的に搬送されるようになっている。従来より、このようなディスク搬送機構として、複数の駆動プーリをベース板上に列状に配設してディスクの周縁部に駆動力を付与する第１のガイド体と、ディスクの周縁部を搬送方向に沿って案内するガイド溝を設けた第２のガイド体とを、近接離反方向に移動可能に対向配置させた構成のものが広く知られている。かかるディスク搬送機構では、駆動プーリとガイド溝との間にディスクを挟持した状態で各駆動プーリを同じ向きに回転させることにより、該ディスクがガイド溝に沿って転動しながら移送されるようになっており、また、プレイ中はディスクや光ピックアップが第１および第２のガイド体と接触しないようにするため、モータやラック等を介して両ガイド体の間隔は広げられている。
【０００３】
【発明が解決しようとする課題】
一般的に、車載用のＣＤプレーヤ等においては、車両走行中の振動の影響を避けるために、プレイ中はターンテーブルや光ピックアップをダンパ機構を介して支持するという防振対策が採用されている。そのため、プレイ中にはディスクや光ピックアップの周囲に十分なクリアランスを確保しておく必要があるが、このようなクリアランスを確保しつつ第１および第２のガイド体を外側へ退避させようとすると、前述した従来のディスク搬送機構では、プレーヤの幅寸法が増大して１ＤＩＮサイズに対応させることが困難になってしまう。したがって、前記クリアランスをある程度犠牲にした設計を余儀なくされてしまい、防振対策の信頼性を損なう要因となっていた。
【０００４】
本発明は、このような従来技術の実情に鑑みてなされたもので、その目的は、複数の駆動プーリを列状に配設しているガイド体の退避スペースを抑えつつ、プレイ中のディスクや光ピックアップとの干渉を回避することができ、防振対策の信頼性向上や装置の小型化に有利なディスク搬送機構を提供することにある。
【０００５】
【課題を解決するための手段】
本発明は、複数の駆動プーリを列状に配設しているガイド体の特定の駆動プーリが、このガイド体の退避動作に連動する回動レバー等のリンク機構に駆動されて、プレイ中は他の駆動プーリよりも大きく退避するようにした。これにより、プレイ中にディスクや光ピックアップとの干渉が懸念される特定の駆動プーリだけを大きく退避させることができるので、他の駆動プーリ等も含めてガイド体の全体を大きく退避させなくても、車載用のプレーヤ等に要求される防振対策の信頼性が確保できる。また、本発明では、前記ガイド体が退避していないとき、前記特定の駆動プーリが弾性付勢されて内側へ突出するようにしてあるので、この駆動プーリが弾接するディスクの周縁部に駆動力を伝達させやすく、それゆえ搬送能力の向上が期待できる。
【０００６】
【発明の実施の形態】
本発明のディスク搬送機構では、複数の駆動プーリを列状に配設してディスク状記録媒体の一方の周縁部に駆動力を付与する第１のガイド体と、前記ディスク状記録媒体の他方の周縁部を案内するガイド溝を有し、前記第１のガイド体に対向して配置された第２のガイド体と、これら第１および第２のガイド体を近接離反方向に移動させて両ガイド体の間隔を変更するガイド体間隔変更手段とを備え、挿入排出口から挿入された前記ディスク状記録媒体を前記複数の駆動プーリと前記ガイド溝との間に挟持し、前記駆動力により少なくともプレイ位置へと搬送するディスク搬送機構において、前記複数の駆動プーリのうち、前記プレイ位置にある前記ディスク状記録媒体に最も接近する特定の駆動プーリを先端部に軸支した回動レバーと、前記回動レバーを弾性付勢して前記特定の駆動プーリを前記第２のガイド体側へ突出させる付勢手段と、前記第１のガイド体を前記第２のガイド体から所定量離反させる動作に連動して、前記回動レバーを前記弾性付勢力に抗して回転させるレバー駆動手段とを備え、前記ガイド体間隔変更手段により前記第１のガイド体を前記第２のガイド体から離反させ前記プレイ位置に配置された前記ディスク状記録媒体から前記第１のガイド体を退避させる過程で、前記レバー駆動手段に駆動された前記回動レバーの回転に伴い、前記特定の駆動プーリが他の駆動プーリに対して反第２のガイド体側へ突出するように構成した。
【０００７】
このように構成されるディスク搬送機構では、ディスクがプレイ位置に配置されて第１および第２のガイド体を外側へ退避させると、レバー駆動手段が付勢手段の弾性付勢力に抗して回動レバーを回転させるため、この回動レバーの先端部に軸支されている特定の駆動プーリが他の駆動プーリよりも大きく退避して外側へ突出する。したがって、この特定の駆動プーリを、プレイ中にディスクや光ピックアップとの干渉が特に懸念される駆動プーリとしておけば、第１のガイド体の全体を大きく退避させる必要がなくなるので、プレーヤの幅寸法の短縮が容易になる。一方、第１および第２のガイド体がディスクを挟持可能な位置にあるときは、前記特定の駆動プーリは付勢手段に弾性付勢されて内側へ突出するので、この特定の駆動プーリを他の駆動プーリよりも強くディスクの周縁部に弾接させることができ、駆動力が伝達させやすくなる。
【０００８】
また、かかるディスク搬送機構を、ディスクがプレイ位置でダンパ機構に支持される車載用等のプレーヤに組み込めば、１ＤＩＮサイズに対応させつつ、プレイ中のディスクや光ピックアップの周囲に十分なクリアランスを確保することができるので、防振対策の信頼性が向上する。例えば、前記特定の駆動プーリをディスク搬送方向の最奥に位置する駆動プーリとしておけば、車両走行中に振動が加わっても、この駆動プーリがプレイ中のディスクや光ピックアップと接触する危険性は低くなる。
【０００９】
【実施例】
本発明の実施例を図面を参照して説明すると、図１は実施例に係るチェンジャ型ＣＤ再生装置にディスクを装填した状態を示す説明図、図２は図１に示す第１のガイド体がディスクを搬送可能な位置にあるときの説明図、図３は該第１のガイド体が退避位置にあるときの説明図、図４は該第１のガイド体に付設したリンク機構の部品構成図である。
【００１０】
図１に示すチェンジャ型ＣＤ再生装置は、１ＤＩＮサイズ対応の車載用であって、プレイ中の音飛び等を回避するための防振対策が講じられている。このＣＤ再生装置は、プレイ位置に配置されたディスク１を回転駆動するターンテーブルとその情報の読み取りを行う光ピックアップ等を有するディスクドライブ機構（図示せず）と、プレイ位置の後方で複数枚のディスク１を収納可能なディスク収納機構２と、前面パネルに設けられた挿入排出口（図示せず）とプレイ位置間ならびにプレイ位置とディスク収納領域間でディスク１を搬送するディスク搬送機構１０とによって概略構成されており、防振対策として、プレイ中はディスクドライブ機構が図示せぬダンパ機構に支持されるようになっている。ディスク収納機構２は、シャーシ３上に立設された複数本の送りねじ４に、ディスク１を個別に保持するストッカ５が螺合状態で複数挿通されており、各送りねじ４を同期して正逆回転させることによりストッカ５を適宜昇降させることができる。
【００１１】
ディスク搬送機構１０は、複数の駆動プーリ１３，１３ａや歯車１４を列状に配設してディスク１の周縁部に駆動力を付与する第１のガイド体１１と、ディスク１の周縁部を案内するガイド溝１２ａを有して第１のガイド体１１に対向して配置された第２のガイド体１２と、これら第１および第２のガイド体１１，１２を近接離反方向に移動させて両ガイド体１１，１２の間隔を変更するモータ１５やラック１６、第１および第２のスライド板１７，１８等のガイド体間隔変更手段とによって主に構成される。なお、駆動プーリ１３，１３ａや歯車１４の回転駆動力は図示されていない別のモータによって与えられ、その別のモータによって図示せぬ伝達力切替機構を介して前記送りねじ４の回転駆動力も与えられる。
【００１２】
第１のガイド体１１は、第１のスライド板１７に一体化されているベース板１１ａに駆動プーリ１３や歯車１４を軸支しているが、最奥の駆動プーリ１３ａだけは回動レバー１９の先端部に軸支されている。この回動レバー１９は、連結部材２０の一端部に連結されていると共に、引っ張りばね２１によって回転軸１９ａを中心に図示反時計回りに弾性付勢されている。連結部材２０の他端部は扇状レバー２２に連結されており、この扇状レバー２２は回転軸２２ａを中心に回転可能である。扇状レバー２２には切り起こし部２２ｂが設けられており、この切り起こし部２２ｂはカム板２３のカム面２３ａに摺接している。カム板２３は引っ張りばね２４を介して第１のスライド板１７に連結されており、この引っ張りばね２４を伸縮させながら第１のスライド板１７およびベース板１１ａに対してスライド可能である。また、カム板２３には、前記シャーシ３と一体の規制壁３ａに当接可能な突片２３ｂと、第１のスライド板１７の切り起こし部１７ａを摺動自在に挿通させた案内用の長孔２３ｃとが形成されている。なお、第２のガイド体１２は第２のスライド板１８に一体化されており、第１および第２のスライド板１７，１８が互いに逆向きにほぼ同等の距離だけスライド移動するように設計されているので、第１のガイド体１１と第２のガイド体１２とはほぼ対称的な移動のしかたで近接離反する。また、第２のガイド体１２の適宜個所には、ディスク１がプレイ位置に配置されたか否かを判定するための検出スイッチ２５が配設されている。
【００１３】
このように構成されたＣＤ再生装置において、第１のガイド体１１が図２に示す状態にあるとき、ディスク１は両ガイド体１１，１２の間に挟持可能であり、駆動プーリ１３，１３ａにてディスク１の周縁部に駆動力を付与しながら、該ディスク１をガイド溝１２ａに沿って図示左右方向に搬送することができる。このとき、第１のガイド体１１の最奥の駆動プーリ１３ａは、回動レバー１９が引っ張りばね２１により図示反時計回りに引っ張られている関係上、他の駆動プーリ１３よりも内側（第２のガイド体１２側）へ若干突出している。それゆえ、最奥の駆動プーリ１３ａは他の駆動プーリ１３よりも強くディスク１に弾接して駆動力を伝達させやすく、その分、搬送能力が向上する。一方、プレイ中はディスク１や光ピックアップが第１および第２のガイド体１１，１２と接触しないようにするため、第１のガイド体１１は図３に示す位置まで外側（反第２のガイド体１２側）へ退避する。この退避動作中に、突片２３ｂが規制壁３ａに当接してカム板２３の移動が規制された後、長孔２３ｃに沿って切り起こし部１７ａを移動させながら第１のスライド板１７およびベース板１１ａがカム板２３に対してスライド移動していくため、切り起こし部２２ｂがカム面２３ａに対して摺動して、扇状レバー２２が図２の反時計回りに回転する。それゆえ、連結部材２０が後方（図示上方）へ押し込まれ、この連結部材２０が回動レバー１９を引っ張りばね２１の弾性付勢力に抗して図２の時計回りに回転させる。その結果、図３に示すように、最奥の駆動プーリ１３ａが他の駆動プーリ１３よりも外側へ大きく退避することとなる。この最奥の駆動プーリ１３ａは第１のガイド体１１の構成部品の中でプレイ中のディスク１や光ピックアップと最も接近する部分なので、本実施例のように駆動プーリ１３ａだけを大きく退避させておけば、第１のガイド体１１の退避スペースをほとんど増大させることなく、プレイ中のディスク１や光ピックアップの周囲に余裕のあるクリアランスを確保することができ、防振対策の信頼性が向上する。
【００１４】
なお、車載用のプレーヤのような防振対策が要求されない場合でも、プレイ中のディスクや光ピックアップとの干渉が懸念される駆動プーリを他の駆動プーリよりも大きく退避させる構成にしておけば、プレーヤの幅寸法を容易に低減させることがてきるので、小型化を促進させやすくなる。
【００１５】
【発明の効果】
本発明は、以上説明したような形態で実施され、以下に記載されるような効果を奏する。
【００１６】
複数の駆動プーリを列状に配設しているガイド体の特定の駆動プーリが、このガイド体の退避動作に連動する回動レバー等のリンク機構に駆動されて、プレイ中は他の駆動プーリよりも大きく退避するように構成したディスク搬送機構なので、プレイ中にディスクや光ピックアップとの干渉が懸念される特定の駆動プーリだけを大きく退避させることができる。したがって、他の駆動プーリ等も含めてガイド体の全体を大きく退避させなくても、車載用のプレーヤ等に要求される防振対策の信頼性が確保できる。また、特別な防振対策が講じられていないプレーヤであっても、前記ガイド体の退避スペースが節約できるので、幅寸法が容易に短縮できて小型化に有利となる。さらに、前記ガイド体が退避していないとき、前記特定の駆動プーリが弾性付勢されて内側へ突出するようにしてあるので、この駆動プーリが弾接するディスクの周縁部に駆動力を伝達させやすく、それゆえ搬送能力の向上が期待できる。
【図面の簡単な説明】
【図１】本発明の実施例に係るチェンジャ型ＣＤ再生装置にディスクを装填した状態を示す説明図である。
【図２】図１に示す第１のガイド体がディスクを搬送可能な位置にあるときの説明図である。
【図３】該第１のガイド体が退避位置にあるときの説明図である。
【図４】該第１のガイド体に付設したリンク機構の部品構成図である。
【符号の説明】
１  ディスク
２  ディスク収納機構
３  シャーシ
４  送りねじ
５  ストッカ
１０  ディスク搬送機構
１１  第１のガイド体
１１ａ  ベース板
１２  第２のガイド体
１２ａ  ガイド溝
１３，１３ａ  駆動ローラ
１４  歯車
１５  モータ
１６  ラック
１７，１８  スライド板
１９  回動レバー
２０  連結部材
２１  引っ張りばね（付勢手段）
２２  扇状レバー
２２ｂ  切り起こし部
２３  カム板
２３ａ  カム面
２４  引っ張りばね
２５  検出スイッチ
【図１】
0003912974.tif 000002
【図２】
0003912974.tif 000003
【図３】
0003912974.tif 000004
【図４】
0003912974.tif 000005